(57)【要約】【課題】イメージセンサを支持する支持体と、支持体を移動方向へ案内するガイド部との相対的な位置関係を適切な状態に維持しやすい画像読取装置を提供すること。【解決手段】複合機において、タイミングベルト２９は、支持体２３とガイド部６１との交差箇所から装置後方へ離間した位置において支持体２３に駆動力を作用させる。支持体２３を第一移動方向へ移動させる場合、支持体２３は第一揺動方向に揺動する。このとき、第一当接部９１Ａ及び第二当接部９１Ｂはガイド部６１の第一部分６１Ａに当接し、支持体２３は、イメージセンサ２１の読取素子の配列方向と支持体２３の移動方向が直交する位置に位置決めされる。支持体２３を第二移動方向へ移動させる場合、支持体２３は第二揺動方向に揺動し、第一規制部９１Ｃ及び第二規制部９１Ｄは、ガイド部６１の第一部分６１Ａから離間する。【選択図】図７
2014049880.tif 000002
【特許請求の範囲】
【請求項１】
原稿が載置される載置部と、
前記原稿の画像を読み取る読取部と、
を備え、
前記読取部は、
所定の配列方向に配列された複数の読取素子を有するイメージセンサと、
前記イメージセンサを支持し、前記配列方向と交差する移動方向へ前記イメージセンサとともに往復移動可能な支持体と、
前記支持体が前記移動方向へ移動する際に、前記支持体と接触することによって前記支持体を前記移動方向へと案内するガイド部と、
前記支持体を前記移動方向へ往復移動させる駆動部と
を備え、
前記イメージセンサは、前記支持体とともに往復移動する際、往動方向又は復動方向のいずれか一方を第一移動方向、他方を第二移動方向として、前記第一移動方向へ移動するときに、所定の読取範囲内において前記載置部に載置された原稿の画像を読み取るように構成され、
前記支持体は、前記支持体と前記ガイド部との交差箇所を中心に、前記配列方向及び前記移動方向の双方に対して平行な面に沿って、前記ガイド部に対し相対的に揺動可能な状態で、前記ガイド部上に支持され、
前記駆動部は、前記交差箇所から離間した位置において前記支持体に駆動力を作用させることにより、前記支持体を前記第一移動方向へ移動させる場合には、前記支持体を第一揺動方向へと揺動させる一方、前記支持体を前記第二移動方向へ移動させる場合には、前記支持体を前記第一揺動方向とは逆方向となる第二揺動方向へと揺動させ、
前記支持体には、前記支持体が前記第一揺動方向へ揺動した際には前記ガイド部に当接する一方、前記支持体が前記第二揺動方向へ揺動した際には前記ガイド部から離間する当接部が設けられ、
前記当接部は、前記支持体が前記第一揺動方向へ揺動した際、前記読取素子の配列方向と前記移動方向とが直交する位置まで前記支持体が揺動すると前記ガイド部に当接して、それ以上前記支持体が前記第一揺動方向へ揺動するのを規制する
画像読取装置。
【請求項２】
前記駆動部は、動力源と、前記動力源から伝達される動力によって循環駆動されるタイミングベルトとを有し、
前記支持体は、前記交差箇所から離間した位置において前記タイミングベルトに連結されており、当該タイミングベルトの駆動方向に応じて、前記第一揺動方向又は前記第二揺動方向へ揺動する
請求項１に記載の画像読取装置。
【請求項３】
前記当接部は、前記配列方向については前記ガイド部を挟んで両側となる位置、かつ前記移動方向については所定距離だけずれた位置において、前記ガイド部に当接する第一当接部及び第二当接部を有する
請求項１又は請求項２に記載の画像読取装置。
【請求項４】
前記支持体には、前記支持体が前記第一揺動方向へ揺動した際には前記ガイド部から離間する一方、前記支持体が前記第二揺動方向へ揺動した際には、前記支持体と前記ガイド部とが直交しない所定の位置まで変位すると、前記ガイド部に当接して、それ以上前記支持体が前記第二揺動方向へ揺動するのを規制する規制部が設けられている
請求項１〜請求項３のいずれか一項に記載の画像読取装置。
【請求項５】
前記規制部は、前記配列方向については前記ガイド部を挟んで両側となる位置、かつ前記移動方向については所定距離だけずれた位置において、前記ガイド部に当接する第一規制部及び第二規制部を有する
請求項４に記載の画像読取装置。
【請求項６】
前記支持体には、前記支持体が前記第一揺動方向へ揺動した際には前記ガイド部から離間する一方、前記支持体が前記第二揺動方向へ揺動した際には、前記支持体と前記ガイド部とが直交しない所定の位置まで変位すると、前記ガイド部に当接して前記第二揺動方向への揺動を規制する規制部が設けられ、
前記規制部は、前記配列方向については前記ガイド部を挟んで両側となる位置、かつ前記移動方向については所定距離だけずれた位置において、前記ガイド部に当接する第一規制部及び第二規制部を有し、
前記第一当接部、前記第二当接部、前記第一規制部、及び前記第二規制部は、前記配列方向及び前記移動方向に対して垂直な垂直方向から見たときに、前記第一当接部と前記第二当接部とを結ぶ直線と、前記第一規制部と前記第二規制部とを結ぶ直線とが、交差する位置に配置されている
請求項３に記載の画像読取装置。
【請求項７】
前記支持体は、前記イメージセンサが取り付けられるキャリッジ部に対し、前記ガイド部と接触しつつ前記ガイド部に沿ってスライドするスライダ部が取り付けられた構造とされており、
前記スライダ部は、前記キャリッジ部よりも摺動性の高い材料で形成され、
前記当接部及び前記規制部は、前記スライダ部と同じ材料で前記スライダ部に一体成形されている
請求項４〜請求項６のいずれか一項に記載の画像読取装置。
【請求項８】
原稿を所定の搬送経路に沿って搬送する搬送部
を備え、
前記搬送部によって搬送される原稿の画像を読み取る際には、前記支持体が所定の読取位置で静止するように構成され、
さらに、
前記支持体が前記読取位置へ移動した際に、前記支持体が突き当たるのに伴って、前記支持体に対して前記第一揺動方向へ揺動させる力を加える突当部
を備え、
前記支持体は、前記突当部に突き当たった際に前記突当部から力を受けることにより、前記読取素子の配列方向と前記移動方向とが直交する位置まで揺動する
請求項１〜請求項７のいずれか一項に記載の画像読取装置。
【発明の詳細な説明】
【技術分野】
【０００１】
本発明は、画像読取装置に関する。
【背景技術】
【０００２】
従来、フラットベッド型と呼ばれる画像読取装置が知られている。この種の画像読取装置は、一般に、主走査方向に配列された読取素子を有するイメージセンサと、そのイメージセンサを副走査方向へ移動させるキャリッジとを備える。キャリッジは、ガイドシャフトに沿って移動可能な構造とされる。ガイドシャフトとしては、丸棒状の金属軸などが利用される（例えば、下記特許文献１参照。）。
【先行技術文献】
【特許文献】
【０００３】
【特許文献１】特開平１１−２６６３４７公報
【発明の概要】
【発明が解決しようとする課題】
【０００４】
しかしながら、上述のような画像読取装置においては、イメージセンサを支持する支持体（キャリッジ）がガイドシャフトに沿って往復移動する際、往動時及び復動時のいずれにおいても、支持体はガイドシャフトと直交する状態を維持している。そのため、支持体におけるガイドシャフトとの当接箇所は、往動時及び復動時の双方においてガイドシャフトに対して摺動することになる。
【０００５】
このような摺動が原因で上記当接箇所の摩耗が進行すれば、例えばガイドシャフトの支持体に対するがたつきが生じ、イメージセンサが備える読取素子の配列方向（主走査方向）と支持体の移動方向（副走査方向）を厳密に直交させることが困難になる。読取素子の配列方向が移動方向に対して直交していない場合、画像の読み取り品質にも悪影響を及ぼすおそれがある。
【０００６】
本発明は、上記問題を解決するためになされたものであり、その目的は、イメージセンサを支持する支持体と、支持体を移動方向へ案内するガイド部との相対的な位置関係を適切な状態に維持し、支持体とガイド部との摺動による磨耗を抑制することが可能な画像読取装置を提供することにある。
【課題を解決するための手段】
【０００７】
以下、本発明において採用した構成について説明する。
本発明の画像読取装置は、原稿が載置される載置部と、前記原稿の画像を読み取る読取部とを備え、前記読取部は、所定の配列方向に配列された複数の読取素子を有するイメージセンサと、前記イメージセンサを支持し、前記配列方向と交差する移動方向へ前記イメージセンサとともに往復移動可能な支持体と、前記支持体が前記移動方向へ移動する際に、前記支持体と接触することによって前記支持体を前記移動方向へと案内するガイド部と、前記支持体を前記移動方向へ往復移動させる駆動部とを備え、前記イメージセンサは、前記支持体とともに往復移動する際、往動方向又は復動方向のいずれか一方を第一移動方向、他方を第二移動方向として、前記第一移動方向へ移動するときに、所定の読取範囲内において前記載置部に載置された原稿の画像を読み取るように構成され、前記支持体は、前記支持体と前記ガイド部との交差箇所を中心に、前記配列方向及び前記移動方向の双方に対して平行な面に沿って、前記ガイド部に対し相対的に揺動可能な状態で、前記ガイド部上に支持され、前記駆動部は、前記交差箇所から離間した位置において前記支持体に駆動力を作用させることにより、前記支持体を前記第一移動方向へ移動させる場合には、前記支持体を第一揺動方向へと揺動させる一方、前記支持体を前記第二移動方向へ移動させる場合には、前記支持体を前記第一揺動方向とは逆方向となる第二揺動方向へと揺動させ、前記支持体には、前記支持体が前記第一揺動方向へ揺動した際には前記ガイド部に当接する一方、前記支持体が前記第二揺動方向へ揺動した際には前記ガイド部から離間する当接部が設けられ、前記当接部は、前記支持体が前記第一揺動方向へ揺動した際、前記配列方向と前記移動方向とが直交する位置まで前記支持体が揺動すると前記ガイド部に当接して、それ以上前記支持体が前記第一揺動方向へ揺動するのを規制する。
【０００８】
このように構成された画像読取装置によれば、イメージセンサで原稿の画像を読み取る際に、駆動部は支持体を第一移動方向へ移動させるとともに第一揺動方向へ揺動させる。このとき、イメージセンサが備える読取素子の配列方向が支持体の移動方向に対して直交する位置まで支持体が揺動すると、それ以上の揺動が当接部によって規制される。
【０００９】
このような状態を維持したまま支持体が第一移動方向へ移動し、その際、イメージセンサで原稿の画像を読み取る。したがって、支持体が揺動するにもかかわらず、イメージセンサが第一方向へ移動する際、イメージセンサの位置は、読取素子の配列方向を主走査方向、支持体の移動方向を副走査方向とする位置に適切に位置決めされる。
【００１０】
一方、イメージセンサで原稿の画像を読み取るときとは逆方向へ支持体を移動させる際、駆動部は支持体を第二移動方向へ移動させるとともに第二揺動方向へ揺動させる。このとき、当接部は支持体から離間し、読取素子の配列方向と支持体の移動方向は直交しない位置関係となる。
【００１１】
この状態では、読取素子の配列方向は、主走査方向としての適切な方向からずれてしまうが、イメージセンサによる画像の読み取りは行われないので、その点は問題がない。このような状態で支持体を第二移動方向へ移動させれば、当接部をガイド部から離間させた状態で支持体が第二移動方向へ移動するので、当接部とガイド部との摺動による摩耗が抑制される。
【００１２】
したがって、当接部相当部分が常にガイド部に当接する状態で支持体が往復移動するものに比べ、支持体が第一移動方向へ移動する際に読取素子の配列方向と支持体の移動方向が精度良く直交する状態をより長期にわたって維持することができ、読み取り画質の低下を抑制できる。
【００１３】
また、支持体をガイド部に対して組み付ける際には、当接部とガイド部が当接しない状態で、支持体の組み付け作業を行うことができる。したがって、当接部相当部分が常にガイド部に当接する状態となるものに比べ、支持体の組み付け作業を行いやすく、生産性やメンテナンス性が向上する。
【００１４】
本発明の画像読取装置において、前記駆動部は、動力源と、前記動力源から伝達される動力によって循環駆動されるタイミングベルトとを有し、前記支持体は、前記交差箇所から離間した位置において前記タイミングベルトに連結されており、当該タイミングベルトの駆動方向に応じて、前記第一揺動方向又は前記第二揺動方向へ揺動することが好ましい。
【００１５】
このように構成された画像読取装置によれば、タイミングベルトから伝達される動力を利用して支持体を揺動させることができる。
本発明の画像読取装置において、前記当接部は、前記配列方向については前記ガイド部を挟んで両側となる位置、かつ前記移動方向については所定距離だけずれた位置において、前記ガイド部に当接する第一当接部及び第二当接部を有することが好ましい。
【００１６】
このように構成された画像読取装置によれば、第一当接部及び第二当接部が上述のような位置にあるので、支持体が揺動すれば、支持体とともに第一当接部及び第二当接部も変位することで、第一当接部及び第二当接部がガイド部に対し当接又は離間する。したがって、読取素子の配列方向と支持体の移動方向が直交する位置まで支持体が揺動したときに、第一当接部及び第二当接部がガイド部に当接するように、第一当接部及び第二当接部の位置を設定しておけば、読取素子の配列方向が主走査方向となる位置に支持体を簡単に位置決めすることができる。
【００１７】
本発明の画像読取装置において、前記支持体には、前記支持体が前記第一揺動方向へ揺動した際には前記ガイド部から離間する一方、前記支持体が前記第二揺動方向へ揺動した際には、前記配列方向と前記移動方向が斜めに交差する所定の位置まで支持体が揺動すると、前記ガイド部に当接して、それ以上前記支持体が前記第二揺動方向へ揺動するのを規制する規制部が設けられていることが好ましい。
【００１８】
このように構成された画像読取装置によれば、支持体が第二揺動方向へ揺動する際に規制部が所定の位置を越える位置への揺動を規制するので、支持体が過剰に第二揺動方向へ揺動するのを防止できる。
【００１９】
本発明の画像読取装置において、前記規制部は、前記配列方向については前記ガイド部を挟んで両側となる位置、かつ前記移動方向については所定距離だけずれた位置において、前記ガイド部に当接する第一規制部及び第二規制部を有することが好ましい。
【００２０】
このように構成された画像読取装置によれば、第一規制部及び第二規制部が上述のような位置にあるので、支持体が揺動すれば、支持体とともに第一規制部及び第二規制部も変位することで、第一規制部及び第二規制部がガイド部に対し当接又は離間する。
【００２１】
したがって、読取素子の配列方向と支持体の移動方向が斜めに交差する所定の位置まで支持体が揺動したときに、第一規制部及び第二規制部がガイド部に当接するように、第一規制部及び第二規制部の位置を設定しておけば、支持体を上述のような所定の位置に簡単に位置決めすることができる。
【００２２】
本発明の画像読取装置において、前記支持体には、前記支持体が前記第一揺動方向へ揺動した際には前記ガイド部から離間する一方、前記支持体が前記第二揺動方向へ揺動した際には、前記配列方向と前記移動方向が斜めに交差する所定の位置まで支持体が揺動すると、前記ガイド部に当接して、それ以上前記支持体が前記第二揺動方向へ揺動するのを規制する規制部が設けられ、前記規制部は、前記配列方向については前記ガイド部を挟んで両側となる位置、かつ前記移動方向については所定距離だけずれた位置において、前記ガイド部に当接する第一規制部及び第二規制部を有し、前記第一当接部、前記第二当接部、前記第一規制部、及び前記第二規制部は、前記配列方向及び前記移動方向に対して垂直な垂直方向から見たときに、前記第一当接部と前記第二当接部とを結ぶ直線と、前記第一規制部と前記第二規制部とを結ぶ直線とが、交差する位置に配置されていることが好ましい。
【００２３】
このように構成された画像読取装置によれば、第一当接部、第二当接部、第一規制部、及び第二規制部が上述のような位置にある。そのため、第一当接部と第二当接部とを結ぶ直線と、第一規制部と第二規制部とを結ぶ直線が、交差しない位置に各部が配置されている場合に比べ、支持体の移動方向について各部の配設範囲をコンパクトにすることができる。
【００２４】
本発明の画像読取装置において、前記支持体は、前記イメージセンサが取り付けられるキャリッジ部に対し、前記ガイド部と接触しつつ前記ガイド部に沿ってスライドするスライダ部が取り付けられた構造とされており、前記スライダ部は、前記キャリッジ部よりも摺動性の高い材料で形成され、前記当接部及び前記規制部は、前記スライダ部と同じ材料で前記スライダ部に一体成形されていることが好ましい。
【００２５】
このように構成された画像読取装置によれば、キャリッジ部及びスライダ部を形成する材料が、上述のように異なる材料とされている。したがって、いずれか一方の材料で支持体全体を一体成形した場合よりも、キャリッジ部及びスライダ部それぞれの性能を最適化することができ、当接部及び規制部の耐摩耗性を高めることができる。
【００２６】
本発明の画像読取装置において、原稿を所定の搬送経路に沿って搬送する搬送部を備え、前記搬送部によって搬送される原稿の画像を読み取る際には、前記支持体が所定の読取位置で静止するように構成され、さらに、前記支持体が前記読取位置へ移動した際に、前記支持体が突き当たるのに伴って、前記支持体に対して前記第一揺動方向へ揺動させる力を加える突当部を備え、前記支持体は、前記突当部に突き当たった際に前記突当部から力を受けることにより、前記配列方向と前記移動方向とが直交する位置まで揺動することが好ましい。
【００２７】
このように構成された画像読取装置によれば、支持体が読取位置へ移動した際、支持体が突当部に突き当たるのに伴って、支持体は読取素子の配列方向と支持体の移動方向とが直交する位置まで揺動する。したがって、搬送部によって搬送される原稿の画像を読み取る際にも、支持体を適正な位置に位置決めすることができ、原稿の画像の読み取り品質を向上させることができる。
【図面の簡単な説明】
【００２８】
【図１】複合機全体の外観を示す斜視図。
【図２】複合機の内部構成を示すブロック図。
【図３】スキャナユニット及びＡＤＦユニットの外観を示す斜視図。
【図４】スキャナユニットを示す平面図。
【図５】スキャナユニット及びＡＤＦユニットの概略構造を示す縦断面図。
【図６】ガイド部及びスライダ部付近の構造を示す縦断面図。
【図７】第一方向へ移動する支持体の傾きとガイド部に対する当接状態を示す説明図。
【図８】第二方向へ移動する支持体の傾きとガイド部に対する当接状態を示す説明図。
【図９】突当部に突き当たったときの支持体の傾きの変化を示す説明図。
【図１０】スライダ部の別の事例を示す説明図。
【発明を実施するための形態】
【００２９】
次に、本発明の実施形態について一例を挙げて説明する。本実施形態において例示する画像読取装置は、画像読取装置としての機能（スキャン機能）に加え、その他の機能（例えば、プリント機能、コピー機能、ファクシミリ送受信機能など）を兼ね備えた複合機として構成されたものである。なお、以下の説明においては、複合機の各部について、それらの相対的な位置関係を簡潔に説明するため、図中に併記した上下左右前後の各方向を利用して説明を行う。
【００３０】
［複合機の構造］
図１に示すように、複合機１は、本体ユニット２と、本体ユニット２の上側に搭載されたスキャナユニット３と、スキャナユニット３の上側に搭載されたＡＤＦユニット４とを備えている。本体ユニット２の前側上部には、利用者によって操作される操作パネル６が設けられている。本体ユニット２の下部には、印刷前の被記録媒体が収納される給紙カセット８Ａ，８Ｂが装着されている。
【００３１】
これらのうち、本体ユニット２には、図２に示すように、上述した操作パネル６の他、制御部１１、画像形成部１２、ＬＡＮ通信部１３、ＰＳＴＮ通信部１４などが設けられている。
【００３２】
制御部１１は、周知のＣＰＵ１１Ａ、ＲＯＭ１１Ｂ、ＲＡＭ１１Ｃ、ＮＶＲＡＭ１１Ｄ、インターフェース部１１Ｅなどを備えている。ＣＰＵ１１Ａは、ＲＯＭ１１ＢやＲＡＭ１１Ｃに記憶された制御プログラムに従って所定の処理を実行し、これにより、複合機１の各部に対する制御が実行される。
【００３３】
画像形成部１２は、電子写真方式又はインクジェット方式の印刷機構を備える。ＬＡＮ通信部１３は、無線ＬＡＮに対応した通信インターフェース装置及び有線ＬＡＮに対応した通信インターフェース装置によって構成される。ＰＳＴＮ通信部１４は、ＦＡＸモデムや音声ＣＯＤＥＣなど、公衆回線（Public Switched Telephone Networks；ＰＳＴＮ）に接続する上で必要となる各種機器によって構成される。
【００３４】
操作パネル６には、利用者が複合機１に対して各種指令を与える際に操作する入力装置（例えば、タッチパネル、各種ボタン類、スイッチ類）と、複合機１の動作状態などを利用者に通知するための出力装置（例えば、液晶ディスプレイ装置）が設けられている。
【００３５】
スキャナユニット３は、複数の読取素子を有するライン型のイメージセンサ２１と、イメージセンサ２１を支持する支持体２３とを備えている。また、スキャナユニット３には、モータ２５と、モータ２５によって駆動されるギヤ機構２７と、ギヤ機構２７によって駆動されるタイミングベルト２９などが設けられ、上述の支持体２３は、タイミングベルト２９に連結されている。モータ２５は、制御部１１のインターフェース部１１Ｅに設けられたモータ駆動部１１Ｆから駆動信号を受けて作動する。モータ２５が発生させた動力は、ギヤ機構２７及びタイミングベルト２９を介して支持体２３へと伝達され、その結果、支持体２３はイメージセンサ２１とともに左右方向に移動する。
【００３６】
ＡＤＦユニット４は、原稿を所定の搬送経路に沿って搬送する搬送ローラ３１〜３９を備えている。また、ＡＤＦユニット４には、モータ４１と、モータ４１によって駆動されるギヤ機構４３などが設けられている。モータ４１は、制御部１１のインターフェース部１１Ｅに設けられたモータ駆動部１１Ｇから駆動信号を受けて作動する。モータ４１が発生させた動力は、ギヤ機構４３を介して搬送ローラ３１〜３９へと伝達される。なお、搬送ローラ３１〜３９のうち、いくつかのローラはギヤ機構４３によって直接駆動される駆動ローラとされ、残りのいくつかのローラは、駆動ローラ又は原稿に追従して回転する従動ローラとされている。
【００３７】
［スキャナユニット及びＡＤＦユニットの詳細］
図１に示すように、  スキャナユニット３の上部にはカバー部材５１が設けられ、カバー部材５１にプラテンガラス５３が取り付けられている。カバー部材５１は、プラテンガラス５３の四辺を囲むフレーム部５１Ａと、プラテンガラス５３の上面を第一領域５３Ａ及び第二領域５３Ｂに区画する仕切り部５１Ｂとを有する。なお、本実施形態では、プラテンガラス５３を一枚で構成し、仕切り部５１Ｂにより、第一領域５３Ａと第二領域５３Ｂに区画する構成としているが、第一領域５３Ａと第二領域５３Ｂとを別々のプラテンガラスにより構成してもよい。
【００３８】
ＡＤＦユニット４は、図３に示すように、左右方向に離間した位置に設けられた一対のヒンジ部５５を介して、スキャナユニット３に対して開閉可能に取り付けられている。ＡＤＦユニット４を開いた際には、図１に示すように、プラテンガラス５３の上面が外部に露出する。一方、ＡＤＦユニット４を閉じた際には、ＡＤＦユニット４がプラテンガラス５３の上面を覆うカバーとして機能する。
【００３９】
スキャナユニット３の内部には、図３及び図４に示すように、上述したイメージセンサ２１、支持体２３、タイミングベルト２９などが配設されている。なお、図４には、イメージセンサ２１が支持体２３とともに位置Ｐ１へ移動した状態と位置Ｐ２へ移動した状態とを併記してある。
【００４０】
イメージセンサ２１は、本実施形態の場合、密着イメージセンサ（ＣＩＳ；Contact Image Sensor）とされている。イメージセンサ２１が有する複数の読取素子は、複合機１における前後方向に配列されている。以下、この読取素子の配列方向である前後方向のことを主走査方向とも称する。
【００４１】
スキャナユニット３が備えるベース部３Ａの上面側には、左右方向に延びるガイド部６１が設けられている。タイミングベルト２９が駆動された際、支持体２３はガイド部６１に沿って左右方向へ移動する。以下、このイメージセンサ２１及び支持体２３の移動方向である左右方向のことを副走査方向とも称する。
【００４２】
イメージセンサ２１の前後方向の両端付近には、図４及び図５に示すように、イメージセンサ２１とプラテンガラス５３との間に介在するスペーサ６３が取り付けられている。また、支持体２３とイメージセンサ２１の間には、図５に示すように、圧縮ばね６５が介装されている。
【００４３】
イメージセンサ２１及びスペーサ６３は、圧縮ばね６５によって常にプラテンガラス５３側に向かって押し付けられる状態にある。そのため、支持体２３が移動する際に、支持体２３が僅かに上下動したとしても、スペーサ６３がプラテンガラス５３の下面に当接する状態は維持され、イメージセンサ２１はプラテンガラス５３の下面と平行に移動する。
【００４４】
スキャナユニット３において、カバー部材５１が有する仕切り部５１Ｂの下面には、図５に示すように、基準部材６７が組み込まれている。基準部材６７は、白色部分と黒色部分が所定のパターンをなすように形成された部材で、画像の読み取りを行う際には、イメージセンサ２１の原点位置の補正やシェーディング補正を行うために、イメージセンサ２１で基準部材６７が読み取られる。
【００４５】
ＡＤＦユニット４の内部には、図５に示すように、上述した複数の搬送ローラ３１〜３９が設けられている。これらの搬送ローラ３１〜３９を作動させると、原稿を所定の搬送経路（図５中に破線で示す経路。）に沿って搬送することができる。
【００４６】
複合機１がＡＤＦ型イメージスキャナとして利用される場合、スキャナユニット３において、イメージセンサ２１は図４における位置Ｐ１へ移動して静止する（以下、位置Ｐ１を読取位置Ｐ１とも称する。）。また、ＡＤＦユニット４において、搬送ローラ３１〜３９は、上述の搬送経路に沿って原稿を搬送する。
【００４７】
搬送される原稿は、搬送経路の途中でプラテンガラス５３の第二領域５３Ｂに接する位置を左右方向へ通過する。この位置には、原稿押さえ７１が設けられている。搬送される原稿が原稿押さえ７１のある位置を通過する際には、原稿押さえ７１が第二領域５３Ｂに向かって原稿を押圧し、原稿をプラテンガラス５３の第二領域５３Ｂに密着させる。そして、読取位置Ｐ１にあるイメージセンサ２１は、第二領域５３Ｂ及び原稿押さえ７１に対向している。この状態で、イメージセンサ２１は、読取位置Ｐ１を通過する原稿の画像を、主走査方向に配列された読取素子で読み取ることができる。
【００４８】
図５に示すように、ＡＤＦユニット４の下面で、ＡＤＦユニット４を閉じた際にプラテンガラス５３の第一領域５３Ａに接する位置には、弾性部材７３が設けられている。弾性部材７３は、上層が発泡樹脂層、下層が樹脂フィルム層とされた積層体である。
【００４９】
複合機１がフラットベッド型イメージスキャナとして利用される場合、プラテンガラス５３の第一領域５３Ａに原稿が載置される。そして、必要があれば、ＡＤＦユニット４が閉じられる。このとき、弾性部材７３が第一領域５３Ａに載置された原稿を上から押圧し、原稿をプラテンガラス５３の第一領域５３Ａに密着させる。この状態で、イメージセンサ２１は支持体２３とともに副走査方向へ移動する。
【００５０】
本実施形態において、イメージセンサ２１は、右方（本発明でいう第一移動方向）へと往動する際に、所定の読取範囲Ａ１内において、プラテンガラス５３の第一領域５３Ａに載置された原稿の画像を、主走査方向に配列された読取素子で読み取る。その後、画像の読み取りを終えたら、イメージセンサ２１は左方（本発明でいう第二移動方向）へと復動して初期位置に復帰する。
【００５１】
［支持体及びガイド部の詳細］
ガイド部６１は、図６に示すように、長手方向に垂直な断面が略Ｌ字状となるようにプレス加工された板金部品である。ガイド部６１は、前後方向及び上下方向の双方に対して平行な面状部分である第一部分６１Ａと、第一部分６１Ａにおける下端から連続する部分が左右方向に曲げられて形成された第二部分６１Ｂとを有する。第一部分６１Ａにおける上下方向の寸法は、第二部分６１Ｂにおける左右方向の寸法よりも小さくされている。
【００５２】
支持体２３は、図６に示すように、キャリッジ部８１と、キャリッジ部８１の底部に取り付けられたスライダ部８３とを有する。スライダ部８３は、キャリッジ部８１の主走査方向における中央付近に設けられ、キャリッジ部８１よりも摺動性の高い材料で形成されている。具体的には、本実施形態の場合、キャリッジ部８１はＡＢＳ樹脂で形成され、スライダ部８３はポリアセタール樹脂（ＰＯＭ）で形成されている。
【００５３】
スライダ部８３の右側となる位置には、キャリッジ部８１の下面から下方に向かって突出する連結部８５が設けられている。この連結部８５は、キャリッジ部８１に一体成形されている。連結部８５は、タイミングベルト２９に対して連結されている。タイミングベルト２９が駆動されると、連結部８５がタイミングベルト２９に引っ張られて、支持体２３は副走査方向へ移動する。なお、連結部８５は、キャリッジ部８１とは別に形成され、組み付けられて固定される構成であってもよい。
【００５４】
スライダ部８３は、ガイド部６１の第一部分６１Ａに当接する第一位置決め部９１と、ガイド部６１の第二部分６１Ｂに当接する第二位置決め部９２とを有する。第一位置決め部９１は、第一部分６１Ａを左右方向両側から挟むかたちで、第一部分６１Ａの両側面に当接し、支持体２３が左右方向へ変位するのを規制している。第二位置決め部９２は、第二部分６１Ｂの上面に当接し、支持体２３が下方へ変位するのを規制している。
【００５５】
スライダ部８３は、上下方向について、ガイド部６１の第一部分６１Ａの上端との間に空隙９３をなす形状とされている。そのため、支持体２３からの荷重が第一部分６１Ａの上端にかかることはなく、支持体２３からの荷重は第二位置決め部９２を介して第二部分６１Ｂの上面に作用する。
【００５６】
第一位置決め部９１は、図７（ａ）〜図７（ｃ）、及び図８（ａ）〜図８（ｃ）に示すように、第一当接部９１Ａ、第二当接部９１Ｂ、第一規制部９１Ｃ、及び第二規制部９１Ｄを備える。これら第一当接部９１Ａ、第二当接部９１Ｂ、第一規制部９１Ｃ、及び第二規制部９１Ｄは、スライダ部８３に一体成形されている。なお、第一当接部９１Ａ、第二当接部９１Ｂ、第一規制部９１Ｃ、及び第二規制部９１Ｄは、スライダ部８３とは別に形成され、組み付けられて固定される構成であってもよい。
【００５７】
第一当接部９１Ａ及び第二当接部９１Ｂは、前後方向についてはガイド部６１の第一部分６１Ａを挟んで両側となる位置にあり、かつ左右方向については所定距離だけずれた位置にある。第一規制部９１Ｃ及び第二規制部９１Ｄも、前後方向についてはガイド部６１の第一部分６１Ａを挟んで両側となる位置にあり、かつ左右方向については所定距離だけずれた位置にある。
【００５８】
支持体２３は、図７（ａ）及び図８（ａ）に示すように、支持体２３とガイド部６１との交差箇所を中心に、主走査方向及び副走査方向の双方に対して平行な面に沿って、ガイド部６１に対し相対的に揺動可能な状態で、ガイド部６１上に支持されている。
【００５９】
タイミングベルト２９は、支持体２３とガイド部６１との交差箇所から装置後方へ離間した位置において支持体２３に駆動力を作用させる。これにより、図７（ａ）に示すように平面視した状態において、支持体２３を右方（本発明でいう第一移動方向）へ移動させる場合には、支持体２３を時計回り（本発明でいう第一揺動方向）に揺動させる。また、支持体２３を左方（本発明でいう第二移動方向）へ移動させる場合には、図８（ａ）に示すように、支持体２３を反時計回り（本発明でいう第二揺動方向）に揺動させる。
【００６０】
支持体２３を時計回りに揺動させると、図７（ａ）〜図７（ｃ）に示すように、第一当接部９１Ａ及び第二当接部９１Ｂは、ガイド部６１の第一部分６１Ａに当接する。この状態において、第一規制部９１Ｃ及び第二規制部９１Ｄは、ガイド部６１の第一部分６１Ａから離間し、非接触状態になる。
【００６１】
第一当接部９１Ａ及び第二当接部９１Ｂは、イメージセンサ２１が備える読取素子の配列方向と副走査方向が直交する第一位置（図７（ａ）中では実線、図８（ａ）中では二点鎖線で示す位置）まで支持体２３が揺動した時点でガイド部６１に当接し、それ以上支持体２３が時計回りに揺動するのを規制する。
【００６２】
逆に、支持体２３を反時計回りに揺動させると、図８（ａ）〜図８（ｃ）に示すように、第一規制部９１Ｃ及び第二規制部９１Ｄは、ガイド部６１の第一部分６１Ａに当接する。この状態において、第一当接部９１Ａ及び第二当接部９１Ｂは、ガイド部６１の第一部分６１Ａから離間し、非接触状態になる。
【００６３】
第一規制部９１Ｃ及び第二規制部９１Ｄは、イメージセンサ２１が備える読取素子の配列方向と副走査方向が斜めに交差する第二位置（図８（ａ）中では実線、図７（ａ）中では二点鎖線で示す位置）まで支持体２３が揺動した時点でガイド部６１に当接し、それ以上支持体２３が反時計回りに揺動するのを規制する。
【００６４】
支持体２３は、以上のような構造とされているので、第一当接部９１Ａ、及び第二当接部９１Ｂにガイド部６１が当接する位置と、第一規制部９１Ｃ、及び第二規制部９１Ｄにガイド部６１が当接位置との間で揺動することができる。このため、支持体２３がタイミングベルト２９からの駆動力を受けて右方へ移動する際には、イメージセンサ２１が備える読取素子の配列方向は、支持体２３の移動方向と直交する状態となる。これにより、配列方向を主走査方向、移動方向を副走査方向として、イメージセンサ２１で適切に画像の読み取りを行うことができる。
【００６５】
一方、支持体２３がタイミングベルト２９からの駆動力を受けて左方へ移動する際には、イメージセンサ２１が備える読取素子の配列方向は、支持体２３の移動方向と斜めに交差する状態となる。この場合、配列方向が移動方向に対して傾くが、画像の読み取りは行われないので問題ない。
【００６６】
また、支持体２３が左方へ移動する際、第一当接部９１Ａ及び第二当接部９１Ｂはガイド部６１から離間するので、第一当接部９１Ａ及び第二当接部９１Ｂの摩耗は抑制される。したがって、第一当接部９１Ａ及び第二当接部９１Ｂが常にガイド部６１に当接している場合に比べ、第一当接部９１Ａ及び第二当接部９１Ｂによる位置決め精度を、より長期にわたって維持することができる。
【００６７】
さらに、カバー部材５１には、図９（ａ）及び図９（ｂ）に示すように、突当部９５が設けられている。この突当部９５は、平面視した状態において、連結部８５を挟んでガイド部６１とは反対側となる位置に設けられている。
【００６８】
支持体２３は、上述の通り、左方へ移動する際、イメージセンサ２１が備える読取素子の配列方向は、前後方向とは一致しない状態にある（図９（ａ）参照。）。しかし、支持体２３が読取位置Ｐ１（図４参照）に到達した際、支持体２３が突当部９５に突き当たると、突当部９５は支持体２３に対して時計回り（第一揺動方向）に揺動させる力を加える。その結果、支持体２３は、上述の配列方向と移動方向が直交する位置まで揺動する。これにより、支持体２３は、読取位置Ｐ１において、イメージセンサ２１が備える読取素子の配列方向を、適切に前後方向と一致させることができる。
【００６９】
ところで、上述した第一当接部９１Ａ、第二当接部９１Ｂ、第一規制部９１Ｃ、及び第二規制部９１Ｄは、図７（ａ）及び図８（ａ）に示すように平面視した状態において、第一当接部９１Ａと第二当接部９１Ｂとを結ぶ直線と、第一規制部９１Ｃと第二規制部９１Ｄとを結ぶ直線とが、交差する位置に配置されている。
【００７０】
そのため、支持体２３の移動方向について、第一当接部９１Ａと第二当接部９１Ｂとの間の距離、第一規制部９１Ｃと第二規制部９１Ｄとの間の距離を十分に確保しても、スライダ部８３の構造をコンパクトにすることができる。
【００７１】
ちなみに、同種のスライダ部としては、図１０（ａ）及び図１０（ｂ）に例示するスライダ部９７のように、第一突起部９８Ａと、第二突起部９８Ｂと、第三突起部９８Ｃとを設けたものなどを考え得る。
【００７２】
このようなスライダ部９７でも、図１０（ａ）に示すように時計回りに揺動させれば、第一突起部９８Ａと第二突起部９８Ｂがガイド部６１に当接して、支持体２３が第一位置まで揺動する。また、図１０（ｂ）に示すように反時計回りに揺動させれば、第二突起部９８Ｂと第三突起部第二がガイド部６１に当接し、支持体２３が第二位置まで揺動する。したがって、これらの第一突起部９８Ａ、第二突起部９８Ｂ、及び第三突起部９８Ｃでも、支持体２３が二位置間で揺動する構造を実現することができる。
【００７３】
ただし、これらの第一突起部９８Ａ、第二突起部９８Ｂ、及び第三突起部９８Ｃは、スライダ部８３とは異なり、「第一当接部９１Ａと第二当接部９１Ｂとを結ぶ直線と、第一規制部９１Ｃと第二規制部９１Ｄとを結ぶ直線とが、交差する位置に配置されている」という構造にはなっていない。
【００７４】
そのため、移動方向について、第一突起部９８Ａと第二突起部９８Ｂとの間の距離を、第一当接部９１Ａと第二当接部９１Ｂとの間の距離と同等にし、かつ、第二突起部９８Ｂと第三突起部９８Ｃとの間の距離を、第一規制部９１Ｃと第二規制部９１Ｄとの間の距離と同等にすると、第一突起部９８Ａと第三突起部９８Ｃとの間の距離は、第一当接部９１Ａと第二規制部９１Ｄとの間の距離よりも大きくなる。したがって、スライダ部９７の左右方向寸法は、先に説明したスライダ部８３よりも大きくなり、コンパクトさに欠ける構造となる。
【００７５】
あるいは、スライダ部９７の左右方向寸法を、先に説明したスライダ部８３と同等にすること自体はできるが、その場合、第一突起部９８Ａと第二突起部９８Ｂとの間の距離、及び第二突起部９８Ｂと第三突起部９８Ｃとの間の距離は、相応に短くなる。これらの各距離が短くなると、支持体２３の揺動位置について位置決め精度は低下しやすくなる。
【００７６】
よって、左右方向寸法をコンパクト化し、かつ、支持体２３の揺動位置についての位置決め精度を高めるには、スライダ部９７のような構造とするよりも、スライダ部８３のような構造とする方が有利である。
【００７７】
［効果］
以上説明した通り、上記複合機１によれば、支持体２３が読取位置Ｐ１で静止した場合、支持体２３が右方へ移動する場合、いずれの場合においても、イメージセンサ２１の読取素子の配列方向を適切に前後方向に向けることができる。また、支持体２３が左方へ移動する場合には、第一当接部９１Ａ及び第二当接部９１Ｂをガイド部６１から離間させて、第一当接部９１Ａ及び第二当接部９１Ｂの摩耗を抑制することができる。
【００７８】
また、上記複合機１によれば、第一当接部９１Ａ、第二当接部９１Ｂ、第一規制部９１Ｃ、及び第二規制部９１Ｄのすべてがガイド部６１に当接する状態にはない。そのため、これらすべてがガイド部６１に当接しているものに比べ、支持体２３をガイド部６１に組み付ける作業を行う際には、支持体２３の組み付け作業を行いやすく、生産性やメンテナンス性が向上する。
【００７９】
［その他の実施形態］
以上、本発明の実施形態について説明したが、本発明は上記の具体的な一実施形態に限定されず、この他にも種々の形態で実施することができる。
【００８０】
例えば、上記実施形態では、ガイド部６１を板金部品とする例を示したが、ガイド部として金属製のガイドシャフトを採用する場合にも、本発明の構成を採用することができる。
【００８１】
さらに、上記実施形態では、本発明の画像読取装置の一例として、複合機として構成された画像読取装置を例示したが、複合機として構成されているか否かは任意であり、単機能の画像読取装置、コピー機、ファクシミリ装置などにおいて、本発明の構成を採用しても良い。
【符号の説明】
【００８２】
１・・・複合機、２・・・本体ユニット、３・・・スキャナユニット、３Ａ・・・ベース部、４・・・ＡＤＦユニット、６・・・操作パネル、８Ａ・・・給紙カセット、１１・・・制御部、１１Ａ・・・ＣＰＵ、１１Ｂ・・・ＲＯＭ、１１Ｃ・・・ＲＡＭ、１１Ｄ・・・ＮＶＲＡＭ、１１Ｅ・・・インターフェース部、１１Ｆ，１１Ｇ・・・モータ駆動部、１２・・・画像形成部、１３・・・ＬＡＮ通信部、１４・・・ＰＳＴＮ通信部、２１・・・イメージセンサ、２３・・・支持体、２５，４１・・・モータ、２７，４３・・・ギヤ機構、２９・・・タイミングベルト、３１〜３９・・・搬送ローラ、５１・・・カバー部材、５１Ａ・・・フレーム部、５１Ｂ・・・仕切り部、５３・・・プラテンガラス、５３Ａ・・・第一領域、５３Ｂ・・・第二領域、５５・・・ヒンジ部、６１・・・ガイド部、６１Ａ・・・第一部分、６１Ｂ・・・第二部分、６３・・・スペーサ、６５・・・圧縮ばね、６７・・・基準部材、７１・・・原稿押さえ、７３・・・弾性部材、８１・・・キャリッジ部、８３，９７・・・スライダ部、８５・・・連結部、９１・・・第一位置決め部、９１Ａ・・・第一当接部、９１Ｂ・・・第二当接部、９１Ｃ・・・第一規制部、９１Ｄ・・・第二規制部、９２・・・第二位置決め部、９３・・・空隙、９５・・・突当部、９８Ａ・・・第一突起部、９８Ｂ・・・第二突起部、９８Ｃ・・・第三突起部。
【図１】
2014049880.tif 000003
【図２】
2014049880.tif 000004
【図３】
2014049880.tif 000005
【図４】
2014049880.tif 000006
【図５】
2014049880.tif 000007
【図６】
2014049880.tif 000008
【図７】
2014049880.tif 000009
【図８】
2014049880.tif 000010
【図９】
2014049880.tif 000011
【図１０】
2014049880.tif 000012